(57)【要約】【課題】レンズ鏡筒に不要な圧力をかけることなく、レンズ鏡筒をビデオカメラ内部の所定の位置に正確に取り付け、レンズ鏡筒に搭載されている駆動モータより発生する放射音や振動を遮断し、小型で簡単な構成のレンズ鏡筒保持装置を提供すること。【解決手段】駆動モータ１１３を有するレンズ鏡筒１０２とフロントケース１０５との接触部において、レンズ鏡筒１０２の前面部外周部に当接し、光軸に対して垂直方向に変形するＬ型弾性部材１１１を設け、該弾性部材１１１がレンズ鏡筒１０２の駆動モータ１１３から発生する放射音と振動を遮断するとともにレンズ鏡筒１０２の位置決め、及び位置誤差を吸収する。【選択図】      図１
2004286856.tif 000002
【特許請求の範囲】
【請求項１】
レンズを電気的に駆動させる駆動モータと一体化されたレンズ鏡筒を保持するビデオカメラのレンズ鏡筒保持装置において、
前記ビデオカメラのケース前面部には、前記レンズ鏡筒の前面部外周部に断面Ｌ字型の底面部分が当接してレンズ鏡筒の前面部を支持し、前記レンズ鏡筒のレンズ光軸に対して垂直方向に弾性変形する弾性部材が設けられ、
前記断面Ｌ字型の弾性部材の近傍には該断面Ｌ字型の弾性部材を前記ビデオカメラのケース前面部の所定位置に固定するための固定手段が設けられている、
ことを特徴とするレンズ鏡筒保持装置。
【請求項２】
請求項１記載のレンズ鏡筒保持装置において、
前記断面Ｌ字型の弾性部材の、前記レンズ鏡筒のレンズ光軸に対して垂直方向な部分の所定位置に当接し、前記レンズ鏡筒より発生する固有の周波数帯の振動を遮断するよう、該弾性部材の振動特性係数の変更を行う振動特性係数変更手段を備えた、
ことを特徴とするレンズ鏡筒保持装置。
【発明の詳細な説明】
【０００１】
【発明の属する技術分野】
本発明はビデオカメラのレンズ鏡筒保持装置に関し、特にレンズ鏡筒のビデオカメラ内部への取り付け構造の改善を図ったものに関するものである。
【０００２】
【従来の技術】
従来のビデオカメラのレンズ鏡筒保持装置について、図３ないし図５を参照にしながら説明する。
【０００３】
図３は、従来のレンズ鏡筒保持装置の一例をビデオカメラの一部を破断して示す正面図である。図４は、図３に示すビデオカメラの一部を破断して示す斜視図である。図５は、該レンズ鏡筒保持装置のレンズ鏡筒の周りを覆う軟性樹脂材の断面詳細図である。
【０００４】
図３及び図４に示す様に、従来のビデオカメラ本体３０１は、正面側にレンズ鏡筒３０２とマイクロフォン３０４とが配置され、後面側にファインダー部３０６が配置されている。
【０００５】
前記レンズ鏡筒３０２はズーミング操作のための駆動モータ３１３が取付けられたズームレンズであって、前記駆動モータ３１３を含む前記レンズ鏡筒３０２は、該レンズ鏡筒３０２のレンズ開口部３０２ａを除く外側全体が、防振性ならびに遮音性を有する軟性樹脂材料３１５で覆われている。
【０００６】
前記軟性樹脂材３１５は、図５に示す様に、軟性ゴム薄膜で形成された袋状体３１５ａと３１５ａとの間にシリコンゲル３１５ｂを注入してなるマット状の成形加工品である。
【０００７】
軟性樹脂材料３１５に覆われた前記レンズ鏡筒３０２は、更に、前記軟性樹脂材料３１５を介してカメラキャビネット３１６及びカメラ基板３１７に取付けられていた。
【０００８】
【特許文献１】
特開平０５−２８８９７３号公報（第１−３頁、第１図）
【０００９】
【発明が解決しようとする課題】
従来のレンズ鏡筒保持装置は以上のように構成されており、レンズ鏡筒３０２をカメラキャビネット３１６およびカメラ基板３１７に直接固定せず、前記軟性樹脂材料３１５を介して固定しているため、ビデオカメラ内部の所定の位置に前記レンズ鏡筒３０２を正確に支持できないという問題点があった。
【００１０】
また、前記軟性樹脂材料３１５が前記レンズ開口部３０２ａを除き、前記レンズ鏡筒３０２の外側全体を覆う構成となっているため、前記駆動モータ３１３等の多くの突起物をもつレンズ鏡筒３０２は、前記軟性樹脂材料３１５の圧力により変形し、光学性能が劣化するうえ、モータ端子等の強度的に弱い小さな部品が変形を起こすという問題点があった。また、前記駆動モータ３１３が動作時に発生する放射音や振動に対して充分な吸音、防振効果を持たせるために前記軟性樹脂材料３１５を配置する空間が前記レンズ鏡筒３０２の外側全体に必要となり、前記ビデオカメラ本体３０１全体が大型化するという問題点があった。
【００１１】
本発明は以上のような問題点を解消するためになされたもので、レンズ鏡筒をビデオカメラ内部の所定の位置に正確に取付けることができ、また、レンズ鏡筒より発生する放射音や振動を遮断でき、なおかつ小型で簡単な構成のレンズ鏡筒保持装置を提供することを目的とする。
【００１２】
【課題を解決するための手段】
本発明の請求項１にかかるレンズ鏡筒保持装置は、レンズを電気的に駆動させる駆動モータと一体化されたレンズ鏡筒を保持するビデオカメラのレンズ鏡筒保持装置において、前記ビデオカメラのケース前面部には、前記レンズ鏡筒の前面部外周部に断面Ｌ字型の底面部分が当接してレンズ鏡筒の前面部を支持し、前記レンズ鏡筒のレンズ光軸に対して垂直方向に弾性変形する弾性部材が設けられ、前記断面Ｌ字型の弾性部材の近傍には該断面Ｌ字型の弾性部材を前記ビデオカメラのケース前面部の所定位置に固定するための固定手段が設けられたものである。
【００１３】
また、本発明の請求項２にかかるレンズ鏡筒保持装置は、請求項１記載のレンズ鏡筒保持装置において、前記断面Ｌ字型の弾性部材の、前記レンズ鏡筒のレンズ光軸に対して垂直方向な部分の所定位置に当接し、前記レンズ鏡筒より発生する固有の周波数帯の振動を遮断するよう、該弾性部材の振動特性係数の変更を行う振動特性係数変更手段を備えたものである。
【００１４】
【発明の実施の形態】
（実施の形態１）
以下に本発明の実施の形態１にかかるレンズ鏡筒保持装置について、図１及び図２を参照しながら説明する。図１は本発明の実施の形態１におけるレンズ鏡筒保持装置を有するビデオカメラの一例を示す断面図であり、図２は図１に示す入射口周りの部分詳細図である。
【００１５】
図１において、ビデオカメラ本体１０１は、レンズ鏡筒１０２、マイクロフォン１０４、フロントケース１０５、ファインダー部１０６、メインケース１０７、映像記録装置１０８、Ｈ型弾性部材１０９、ビス１１０、Ｌ型弾性部材１１１、固定手段となる押さえリング１１２、及び駆動モータ１１３からなり、上記フロントケース１０５には入射口１０３が形成されている。
【００１６】
上記ビデオカメラ本体１０１には、レンズ鏡筒１０２、映像記録装置１０８、Ｈ型弾性部材１０９、ビス１１０、Ｌ型弾性部材１１１、押さえリング１１２、及び駆動モータ１１３とが内蔵され、さらに、前記レンズ鏡筒１０２に入射する光を取り入れる入射口１０３とマイクロフォン１０４とが配置された前面側の前記フロントケース１０５と、ファインダー部１０６が配置された後面側の前記メインケース１０７とで構成されている。
【００１７】
前記レンズ鏡筒１０２は、ズーミング操作用の駆動モータ１１３が側面部分に搭載されたズームレンズであり、前記映像記録装置１０８に前記Ｈ型弾性部材１０９を介してビス１１０により固定されている。
【００１８】
前記Ｌ型弾性部材１１１は、レンズ鏡筒１０２の前面部外周部が支持されるリング状に加工された断面形状がＬ字状の部材である。前記Ｌ型弾性部材１１１、前記Ｈ型弾性部材１０９は一定の方向に変形させることによって音や振動を遮断させるバネの効果を有する。前記押さえリング１１２はリング状に加工された断面形状がＬ字状に、外周部分はネジ加工された部材である。また、前記フロントケース１０５は、前記押さえリング１１２が取付く部分が円筒状に加工され、本実施の形態１では円筒内の内側の一部分にネジ加工が施されている。
【００１９】
前記Ｌ型弾性部材１１１は前記押さえリング１１２によりその外周部が保持され、前記押さえリング１１２の外周部のネジにより前記フロントケース１０５に締めこまれて固定されている。そのため前記Ｌ型弾性部材１１１は前記押さえリング１１２に密着し、かつ内径部中心と、前記入射口１０３の中心とが同軸を保つように固定される。
【００２０】
また、前記Ｌ型弾性部材１１１は前記レンズ鏡筒１０２の前面部外周部１０２ａと当接することによって前記レンズ鏡筒１０２の光軸に垂直方向の位置決めを行い、該レンズ鏡筒１０２に光学的に必要とされる画角を前記フロントケース１０５の前記入射口１０３に対して維持させている。また、前記Ｌ型弾性部材１１１は前記レンズ鏡筒１０２の前面部外周部１０２ａに対して弾性的に密着し、かつ前記レンズ鏡筒１０２が光軸方向にスライド可能に当接しており、前記レンズ鏡筒１０２の光軸方向の組立寸法誤差ならびに取り付け誤差が発生した時、前記レンズ鏡筒１０２の前面部外周部１０２ａに対する当接位置が変わるだけで前記レンズ鏡筒１０２に圧力をかけることなく保持することが可能な構成となっている。
【００２１】
さらに、前記駆動モータ１１３の動作時に発生する放射音は、前記Ｌ型弾性部材１１１が前記レンズ鏡筒１０２の前面部外周部１０２ａに対して弾性的に密着しているので前記Ｌ型弾性部材１１１によって遮断され、前記フロントケース１０５の前記入射口１０３から前記ビデオカメラ本体１０１の外部に放出されることがない。また、前記Ｌ型弾性部材１１１は前記Ｌ型弾性部材１１１の光軸に垂直方向の部分１１１ａが弾性的に収縮することにより前記駆動モータ１１３により発生する前記レンズ鏡筒１０２の振動を吸収するバネの効果を有する。その結果、前記映像記録装置１０８に放射音や振動が前記マイクロフォン１０４を通してノイズとして記録されることがないので、品質の良い記録が可能になる。
【００２２】
次に、図２のＬ型弾性部材１１１周辺の部分詳細図を使って防振効果の詳細について説明する。図２に示すように、前記Ｌ型弾性部材１１１の光軸と垂直方向の部分１１１ａは前記フロントケース１０５に、振動特性係数変更手段となる、例えば円環状に形成された先端の鋭角な突起物１０５ａによって固定されている。この構成により、前記Ｌ型弾性部材１１１が振動吸収体として弾性変形する部分は、前記突起物１０５ａの先端からレンズ鏡筒の前面部外周部までの区間１１１ｂとなる。
【００２３】
この突起物１０５ａの形成位置を光軸と垂直な方向で変更することにより、前記Ｌ型弾性部材１１１の弾性変形区間が変化し、バネ定数が変えられることによって振動吸収の周波数特性が変更される。これにより、前記レンズ鏡筒１０２より発生する固有の振動周波数に対して簡単な構成で最適な防振効果を得られる。
【００２４】
以上のように、本実施の形態１によるレンズ鏡筒保持装置によれば、レンズが駆動される駆動モータ１１３と一体化されたレンズ鏡筒１０２の前面部外周部を、前記レンズ鏡筒１０２の光軸方向に対して垂直な方向に変形させ、垂直な方向に変形させることによって音や振動を遮断させるバネの効果を有するＬ型弾性部材１１１を介してフロントケース１０５に支持するようにしたので、簡単な構成でレンズ鏡筒１０２をケース内に高精度に位置決め取付けでき、また、レンズ鏡筒１０２から発生する、放射音と振動とを遮断できる。
【００２５】
また、レンズ鏡筒１０２を光軸方向にスライドさせることによってレンズ鏡筒１０２の位置誤差を吸収させることができるため位置決め固定の際の調整が容易に行える。
【００２６】
さらに、前記フロントケース１０５に前記Ｌ型弾性部材１１１を支持する突起１０５ａを設けることで、該突起１０５ａの形成位置によってＬ型弾性部材１１１の支持点からＬ型弾性部材１１１の先端までの長さ１１１ｂが変更され、Ｌ型弾性部材１１１の振動特性係数の変更が行なわれ、前記レンズ鏡筒１０２より発生する固有の周波数帯の振動を効果的に遮断することができる。
【００２７】
なお、本実施の形態１では、固定手段として、ネジ式の押さえリング１１２によりＬ型弾性部材１１１を固定するようにしたが、ビス、フック、接着剤等を利用して固定してもよい。
【００２８】
また、振動特性係数変更手段である前記突起物１０５ａを前記フロントケース１０５に一体形成した形状のものを例として説明したが、フロントケース１０５とは別部材で構成してもかまわない。
【００２９】
また、振動特性係数変更手段である前記Ｌ型弾性部材１１１の振動特性係数の変更方法として突起物１０５ａを設けて弾性変形区間を変更する方法を示したが前記Ｌ型弾性部材１１１の硬度および材質を変更しても、またそれらを組み合わせて変更して振動特性係数変更手段としてもかまわない。
【００３０】
【発明の効果】
以上のように、本発明の請求項１にかかるレンズ鏡筒保持装置によれば、レンズを電気的に駆動させる駆動モータと一体化されたレンズ鏡筒を保持するビデオカメラのレンズ鏡筒保持装置において、前記ビデオカメラのケース前面部には、前記レンズ鏡筒の前面部外周部に断面Ｌ字型の底面部分が当接してレンズ鏡筒の前面部を支持し、前記レンズ鏡筒のレンズ光軸に対して垂直方向に弾性変形する弾性部材が設けられ、前記断面Ｌ字型の弾性部材の近傍には該断面Ｌ字型の弾性部材を前記ビデオカメラのケース前面部の所定位置に固定するための固定手段が設けられたものとしたので、簡単な構成でレンズ鏡筒をビデオカメラ内の所定の箇所に位置決めでき、また、レンズ鏡筒を光軸方向にスライドさせることによってレンズ鏡筒の位置誤差を吸収でき、さらに、弾性部材によるバネの効果によって前記レンズ鏡筒から発生する、放射音と振動とを遮断することができる、という効果がある。
【００３１】
また、本発明の請求項２にかかるレンズ鏡筒保持装置によれば、請求項１記載のレンズ鏡筒保持装置において、前記断面Ｌ字型の弾性部材の、前記レンズ鏡筒のレンズ光軸に対して垂直方向な部分の所定位置に当接し、前記レンズ鏡筒より発生する固有の周波数帯の振動を遮断するよう、該弾性部材の振動特性係数の変更を行う振動特性係数変更手段を備えたものとしたので、前記突起の位置によって弾性部材の支持点から弾性部材の先端までの長さが変更されることにより弾性部材の振動特性係数の変更が行なわれ、前記レンズ鏡筒より発生する固有の周波数帯の振動を効果的に遮断でき、良質の映像記録を提供することが可能となる効果がある。
【図面の簡単な説明】
【図１】本発明の実施の形態１におけるレンズ鏡筒保持装置を有するビデオカメラの一例を示す断面図である。
【図２】同上の入射口周りの部分詳細図である。
【図３】従来のレンズ鏡筒保持装置の一例をビデオカメラの一部を破断して示す正面図である。
【図４】図３に示すビデオカメラの一部を破断して示す斜視図である。
【図５】レンズ鏡筒保持装置のレンズ鏡筒の周りを覆う軟性樹脂材の断面詳細図である。
【符号の説明】
１０１  ビデオカメラ本体
１０２  レンズ鏡筒
１０２ａ  レンズ鏡筒の前面部外周部
１０３  入射口
１０４  マイクロフォン
１０５  フロントケース
１０５ａ  突起物（振動特性係数変更手段）
１０６  ファインダー部
１０７  メインケース
１０８  映像記録装置
１１９  Ｈ型弾性部材
１１０  ビス
１１１  Ｌ型弾性部材
１１１ａ  Ｌ型弾性部材１１１の光軸に垂直方向の部分
１１１ｂ  突起物の先端からレンズ鏡筒の前面部外周部までの区間
１１２  押さえリング（固定手段）
１１３  駆動モータ
【図１】
2004286856.tif 000003
【図２】
2004286856.tif 000004
【図３】
2004286856.tif 000005
【図４】
2004286856.tif 000006
【図５】
2004286856.tif 000007